(57)【要約】【課題】  本発明は、着物の着付け時における煩雑さを解消し、一人でも容易に着付けすることを可能とするとともに、使用後においても太鼓部の形状を崩すことなく、そのままの状態で収納又は保管しておくことができる簡易着付用帯体を提供する。【解決手段】  半巾にした胴部及び手先部における帯模様を有しない裏面同士の幅方向の端片を縫着し、太鼓形成部及び胴部が直交した状態で、太鼓形成部を胴部にて下から覆い、折り返した反対側を手先部とし、三角折曲部を上から覆い、枕装着部を確保しながらタレ部を有するよう太鼓形成部を折り畳んで、太鼓部内側面にて縫着して太鼓部を形成し、手先部を太鼓部内側面内部に折り返すとともに他端部にて縫着し、胴部の端部及び太鼓部の裏側における胴部面上に止着手段を有し、太鼓部裏側における胴部の上端縁に、腹部へ巻き付けて止着する為の止着手段を有する仮止部材を縫着したことを特徴とする簡易着付用帯体。【選択図】  図９
2008280629.tif 000002
【特許請求の範囲】
【請求項１】
三角折曲部（３）を境にして直交状に折り畳み、垂直側が帯巾のままの太鼓形成部（２ｂ）、水平側が半巾に二つ折りした胴部（４）とし、
太鼓部（２）及びタレ部（２ａ）を有するよう前記太鼓形成部（２ｂ）を、手先部（５）を有するよう前記胴部（４）を折り畳んで形成される簡易着付用帯体において、
半巾にした前記胴部（４）及び前記手先部（５）における帯模様を有しない裏面同士の幅方向の端片を縫着し、前記太鼓形成部（２ｂ）及び前記胴部（４）が直交した状態で、
前記太鼓形成部（２ｂ）を前記胴部（４）にて下から覆い、折り返した反対側を前記手先部（５）とし、
三角折曲部（３）を上から覆い、枕装着部（２ｅ）を確保しながらタレ部（２ａ）を有するよう前記太鼓形成部（２ｂ）を折り畳んで、太鼓部内側面（２ｆ）にて縫着して太鼓部（２）を形成し、
前記手先部（５）を前記太鼓部内側面（２ｆ）内部に折り返すとともに、前記太鼓部内側面（２ｆ）の他端部にて縫着し、
前記胴部（４）の端部及び前記太鼓部（２）の裏側における前記胴部（４）面上に止着手段を有し、
前記太鼓部（２）裏側における前記胴部（４）の上端縁に、腹部へ巻き付けて止着する為の止着手段を有する仮止部材（６）を縫着したことを特徴とする簡易着付用帯体。
【請求項２】
三角折曲部（３）を境にして直交状に折り畳み、垂直側が帯巾のままの太鼓形成部（２ｂ）、水平側が半巾に二つ折りした胴部（４）とし、
太鼓部（２）及びタレ部（２ａ）を有するよう前記太鼓形成部（２ｂ）を、手先部（５）を有するよう前記胴部（４）を折り畳んで形成される簡易着付用帯体において、
前記太鼓部（２）における前記太鼓部内側面（２ｆ）と前記タレ部（２ａ）を、前記太鼓部（２）における幅方向の端部の中央位置にて縫着し、
前記太鼓部（２）における前記太鼓部内側面（２ｆ）と前記手先部（５）が重合した四隅、前記太鼓部内側面（２ｆ）の前記タレ部（２ａ）側における重合した中央部を縫着し、
前記太鼓部内側面（２ｆ）の内部に折り返した前記手先部（５）と前記太鼓部内側面（２ｆ）を前記太鼓部内側面（２ｆ）における端部の中央位置にて縫着し、
前記太鼓部（２）の裏側における前記胴部（４）の上端縁にて、前記仮止部材（６）と前記胴部（４）を縫着したことを特徴とする請求項１に記載の簡易着付用帯体。
【請求項３】
三角折曲部（３）を境にして直交状に折り畳み、垂直側が帯巾のままの太鼓形成部（２ｂ）、水平側が半巾に二つ折りした胴部（４）とし、
太鼓部（２）及びタレ部（２ａ）を有するよう前記太鼓形成部（２ｂ）を、手先部（５）を有するよう前記胴部（４）を折り畳んで形成される簡易着付用帯体において、
前記胴部（４）の端部に設けられる止着手段を、環部（８）を介し可動自在とする紐部（７）とし、
前記太鼓部（２）の裏側における前記胴部（４）面上に設けられる止着手段を、前記胴部（４）における下端縁にて縫着する紐部（９）としたことを特徴とする請求項１及び請求項２に記載の簡易着付用帯体。
【請求項４】
三角折曲部（３）を境にして直交状に折り畳み、垂直側が帯巾のままの太鼓形成部（２ｂ）、水平側が半巾に二つ折りした胴部（４）とし、
太鼓部（２）及びタレ部（２ａ）を有するよう前記太鼓形成部（２ｂ）を、手先部（５）を有するよう前記胴部（４）を折り畳んで形成される簡易着付用帯体において、
前記太鼓部（２）の裏側における前記仮止部材（６）及び前記紐部（９）の縫着部を覆設するよう、前記太鼓部（２）と同等幅の生地を用いた背面カバー（１０）を縫着して設けたことを特徴とする請求項３に記載の簡易着付用帯体。
【請求項５】
三角折曲部（３）を境にして直交状に折り畳み、垂直側が帯巾のままの太鼓形成部（２ｂ）、水平側が半巾に二つ折りした胴部（４）とし、
太鼓部（２）及びタレ部（２ａ）を有するよう前記太鼓形成部（２ｂ）を、手先部（５）を有するよう前記胴部（４）を折り畳んで形成される簡易着付用帯体において、
前記止着手段を面ファスナーとすることを特徴とする請求項１及び請求項２に記載の簡易着付用帯体。
【請求項６】
三角折曲部（３）を境にして直交状に折り畳み、垂直側が帯巾のままの太鼓形成部（２ｂ）、水平側が半巾に二つ折りした胴部（４）とし、
太鼓部（２）及びタレ部（２ａ）を有するよう前記太鼓形成部（２ｂ）を、手先部（５）を有するよう前記胴部（４）を折り畳んで形成される簡易着付用帯体において、
前記仮止部材（６）に設けられる止着手段を面ファスナーとし、
前記胴部（４）の端部に設けられる止着手段を、前記太鼓部（２）を有しない側における前記胴部（４）の前記折曲部（４ａ）近傍の上端縁にて縫着する紐部（７）とし、
前記太鼓部（２）の裏側における前記胴部（４）面上に設けられる止着手段を、前記胴部（４）における上端縁にて縫着する紐部（９）としたことを特徴とする請求項１及び請求項２に記載の簡易着付用帯体。
【請求項７】
三角折曲部（３）を境にして直交状に折り畳み、垂直側が帯巾のままの太鼓形成部（２ｂ）、水平側が半巾に二つ折りした胴部（４）とし、
太鼓部（２）及びタレ部（２ａ）を有するよう前記太鼓形成部（２ｂ）を、手先部（５）を有するよう前記胴部（４）を折り畳んで形成される簡易着付用帯体において、
前記太鼓部（２）の裏側における前記仮止部材（６）及び前記紐部（９）の縫着部を覆設するよう、前記太鼓部（２）と同等幅の生地を用いた背面カバー（１０）を縫着して設けたことを特徴とする請求項６に記載の簡易着付用帯体。
【発明の詳細な説明】
【技術分野】
【０００１】
本発明は、着物の着付け時における煩雑さを解消し、一人でも容易に着付けすることを可能とする簡易着付用帯体に関するものである。
【背景技術】
【０００２】
従来より、着物の着付けは極めて特殊な技能を有する部分が多く、普段から着こなす回数を増やすように心掛けない限り、習得することは容易なものではない。また、着付け教室等に長年通って習得するに至っても、普段から着物を着用する機会が少ない現在では習得してもすぐに忘れてしまうといったことも多く、着付けの習得は困難を要するのが現状である。
【０００３】
このような、問題を解決するものであって、着付けで最も難しい帯結びを簡略化して着物に対する煩わしさを解消する簡易着付け用女帯で、三角寄せ折り部を境にして直交状に折り畳み、垂直側が帯巾のままの太鼓形成部、水平側が半巾に二つ折りした胴巻部となり、太鼓形成部側を三角寄せ折り部の上に被さる方向に折り畳んで太鼓、タレ先及び太鼓の内側へ下方から折り返される折込み部に連続形成する一方、胴巻部を、その手先側に帯巾よりやや大きい長さの寸法の、太鼓と折込み部との間に差し込む折返し部が確保できる位置で、太鼓形成側と反対側に折り畳んで重ね合わせた後、三角寄せ折り部の裏側を通り越して、太鼓の横に飛び出させた手先の折り返し部を折り目部で太鼓両側縁から左右への食み出し巾とが、均等になるよう規制して太鼓の内側に直接対面する折込部と太鼓の間に差し込んだ後、太鼓で覆われた形となっている重なり部分、すなわち三角寄せ折り部の裏側に添設する胴巻部、その上の折り込み部、更にその上の折り返し部を重ね合わせたまま、同重なり部分の四隅を大きめのクリップで仮着すると共に、三角寄せ折り部の裏側に添設された胴巻部側から刺しピンを刺し通し、重なり各部を貫通して太鼓の内側に突出させた刺しピン先端尖鋭部を利用して帯締め中央を太鼓側において着脱自在に固定したものが公知である。（例えば、特許文献１参照。）
【０００４】
これによって、従前までの太鼓結びのように、胴巻部を着る人の胴に二回も三回も巻き付けた上で手先部分を肩に掛け、太鼓形成部を折り畳み、その都度着付け紐で仮固定しながら太鼓を作り上げていくという、伝統的な難しい着付けから完全に開放され、誰の手も借りずに一人で簡単、確実に綺麗な太鼓結びの着付けを可能とするものである。
【特許文献１】特許第３４３１９９８号
【発明の開示】
【発明が解決しようとする課題】
【０００５】
従前では、着付け時に胴巻部を着る人の胴に二回も三回も、しっかりと巻き付けた上で太鼓を形成していたのに対し、前記特許文献１においては、胴に一周させるだけの構成をとっており、胴巻部を着る人の腹部の前を通してそのまま端部を太鼓結び部分と背中との間に横から差し入れ、該差し入れた側に垂れた帯締めの端部を、略水平にして片方の手で引きながら、他方の手で、差し入れた胴巻部の端部を更に引き込んで胴への巻き付け具合を絞り込んだ後に、帯締めの両端を前で結んで着付けが完了するものである。
【０００６】
しかし、当該構成においては、帯締めの結びが不十分であっては、太鼓内側上方における装着空間に装着される枕のみで、着付け用女帯を支持するようになり、ずれ落ちてしまう虞もある。また、太鼓結び部分の四隅をクリップで仮着させる構成であるとともに、太鼓部と手先となる折返し部も同時に刺しピンで固定させるものであるが、帯締めを締めた後において、クリップの取り外しを忘れてしまう虞もあり、その際には、非常に体裁の悪いものとなってしまう。更に、着付け後において着物を脱ぐ際に、着付け用女帯を取り外してしまうと、太鼓部と手先となる折返し部は刺しピンにて固定されているものの太鼓部の形状が崩れてしまうので、着付けを行う都度、着付け用女帯を折り畳まなければならないという虞もある。
【０００７】
そこで、本発明はこのような問題点を解決するものであって、着物の着付け時における煩雑さを解消し、一人でも容易に着付けすることを可能とするとともに、使用後においても太鼓部の形状を崩すことなく、そのままの状態で収納又は保管しておくことができる簡易着付用帯体を提供することを課題とする。
【課題を解決するための手段】
【０００８】
前記問題点を解決するために、本発明の請求項１に記載の簡易着付用帯体は、三角折曲部を境にして直交状に折り畳み、垂直側が帯巾のままの太鼓形成部、水平側が半巾に二つ折りした胴部とし、太鼓部及びタレ部を有するよう前記太鼓形成部を、手先部を有するよう前記胴部を折り畳んで形成される簡易着付用帯体において、半巾にした前記胴部及び前記手先部における帯模様を有しない裏面同士の幅方向の端片を縫着し、前記太鼓形成部及び前記胴部が直交した状態で、前記太鼓形成部を前記胴部にて下から覆い、折り返した反対側を前記手先部とし、三角折曲部を上から覆い、枕装着部を確保しながらタレ部を有するよう前記太鼓形成部を折り畳んで、太鼓部内側面にて縫着して太鼓部を形成し、前記手先部を前記太鼓部内側面内部に折り返すとともに、前記太鼓部内側面の他端部にて縫着し、前記胴部の端部及び前記太鼓部の裏側における前記胴部面上に止着手段を有し、前記太鼓部裏側における前記胴部の上端縁に、腹部へ巻き付けて止着する為の止着手段を有する仮止部材を縫着したことを特徴とするものである。
【０００９】
本発明の請求項２に記載の簡易着付用帯体は、請求項１に記載の簡易着付用帯体において、前記太鼓部における前記太鼓部内側面と前記タレ部を、前記太鼓部における幅方向の端部の中央位置にて縫着し、前記太鼓部における前記太鼓部内側面と前記手先部が重合した四隅、前記太鼓部内側面の前記タレ部側における重合した中央部を縫着し、前記太鼓部内側面の内部に折り返した前記手先部と前記太鼓部内側面を前記太鼓部内側面における端部の中央位置にて縫着し、前記太鼓部の裏側における前記胴部の上端縁にて、前記仮止部材と前記胴部を縫着したことを特徴とするものである。
【００１０】
本発明の請求項３に記載の簡易着付用帯体は、請求項１及び請求項２に記載の簡易着付用帯体において、前記胴部の端部に設けられる止着手段を、環部を介し可動自在とする紐部とし、前記太鼓部の裏側における前記胴部面上に設けられる止着手段を、前記胴部における下端縁にて縫着する紐部としたことを特徴とするものである。
【００１１】
本発明の請求項４に記載の簡易着付用帯体は、請求項３に記載の簡易着付用帯体において、前記太鼓部の裏側における前記仮止部材及び前記紐部の縫着部を覆設するよう、前記太鼓部と同等幅の生地を用いた背面カバーを縫着して設けたことを特徴とするものである。
【００１２】
本発明の請求項５に記載の簡易着付用帯体は、請求項１及び請求項２に記載の簡易着付用帯体において、前記止着手段を面ファスナーとすることを特徴とするものである。
【００１３】
本発明の請求項６に記載の簡易着付用帯体は、請求項１及び請求項２に記載の簡易着付用帯体において、前記仮止部材に設けられる止着手段を面ファスナーとし、前記胴部の端部に設けられる止着手段を、前記太鼓部を有しない側における前記胴部の前記折曲部近傍の上端縁にて縫着する紐部とし、前記太鼓部の裏側における前記胴部面上に設けられる止着手段を、前記胴部における上端縁にて縫着する紐部としたことを特徴とするものである。
【００１４】
本発明の請求項７に記載の簡易着付用帯体は、請求項６に記載の簡易着付用帯体において、前記太鼓部の裏側における前記仮止部材及び前記紐部の縫着部を覆設するよう、前記太鼓部と同等幅の生地を用いた背面カバーを縫着して設けたことを特徴とするものである。
（作用）
【００１５】
本願発明の簡易着付用帯体に係る発明では、半巾にした前記胴部及び前記手先部における帯模様を有しない裏面同士の幅方向の端片を縫着し、前記太鼓形成部及び前記胴部が直交した状態で、前記太鼓形成部を前記胴部にて下から覆い、折り返した反対側を前記手先部とし、三角折曲部を上から覆い、枕装着部を確保しながらタレ部を有するよう前記太鼓形成部を折り畳んで、太鼓部内側面にて縫着して太鼓部を形成し、前記手先部を前記太鼓部内側面の内部に折り返すとともに、前記太鼓部内側面の他端部にて縫着し、前記胴部の端部及び前記太鼓部の裏側における前記胴部面上に止着手段を有し、前記太鼓部裏側における前記胴部の上端縁に、腹部へ巻き付けて止着する為の止着手段を有する仮止部材を縫着したので、着用者は、着物を着用する際、着用者における腹部に前記仮止部材を止着させることで、前記簡易着付用帯体を腹部に仮着することができる。その後、前記簡易着付用帯体は腹部に仮着されていることから、着付けの初心者であっても、前記簡易着付用帯体における前記胴部を腹部に巻き、前記太鼓部の裏側における前記胴部面上の面ファスナーにて止着するか、又は前記紐部を着用者の腹部前方にて締結して止着させることで、容易に前記簡易着付用帯体を取り付けることができる。
また、着装後においては、従来と同様にして帯締め、枕等を取り外した後、前記仮止部材、及び前記太鼓部の裏側における前記胴部面上の前記面ファスナーを外すか、又は前記仮止部材、及び前記紐部の締結部を外すだけで、前記着物から前記簡易着付用帯体を容易に取り外すことができる。
【発明の効果】
【００１６】
本願発明の簡易着付用帯体に係る発明では、半巾にした前記胴部及び前記手先部における帯模様を有しない裏面同士の幅方向の端片を縫着し、前記太鼓形成部及び前記胴部が直交した状態で、前記太鼓形成部を前記胴部にて下から覆い、折り返した反対側を前記手先部とし、三角折曲部を上から覆い、枕装着部を確保しながらタレ部を有するよう前記太鼓形成部を折り畳んで、太鼓部内側面にて縫着して太鼓部を形成し、前記手先部を前記太鼓部内側面の内部に折り返すとともに、前記太鼓部内側面の他端部にて縫着し、前記胴部の端部及び前記太鼓部の裏側における前記胴部面上に止着手段を有し、前記太鼓部裏側における前記胴部の上端縁に、腹部へ巻き付けて止着する為の止着手段を有する仮止部材を縫着したので、着用者は、着物を着用する際、着用者における腹部に前記仮止部材を止着させることで、前記簡易着付用帯体を腹部に仮着することができる。その後、前記簡易着付用帯体は腹部に仮着されていることから、着付けの初心者であっても、前記簡易着付用帯体における前記胴部を腹部に巻き、前記太鼓部の裏側における前記胴部面上の面ファスナーにて止着するか、又は前記紐部を着用者の腹部前方にて締結して止着させることで、容易に前記簡易着付用帯体を取り付けることができる。
また、着装後においては、従来と同様にして帯締め、枕等を取り外した後、前記仮止部材、及び前記太鼓部の裏側における前記胴部面上の前記面ファスナーを外すか、又は前記仮止部材、及び前記紐部の締結部を外すだけで、前記着物から前記簡易着付用帯体を容易に取り外すことができる。
これによって、着装時においては、前記仮止部材及び前記胴部によって、二重に着用者の腹部に止着されていることから、後に取り付ける帯締めが弛むようなことがあっても、前記簡易着付用帯体はズレにくくなる。
また、前記簡易着付用帯体は、所要箇所が縫着されている為、前記着物から前記簡易着付用帯体を取り外した後においても、全体の形状は崩れることなく、次回の使用時までそのままの状態で収納又は保管しておくことができる。
更に、前記着付用帯体を切断することなく折り畳んで、前記太鼓部を形成し所要箇所を縫着して、前記簡易着付用帯体を形成していることから、縫製箇所の糸をほどくことによって、再び一本の前記着付用帯体へと戻すことができるので、前記着付用帯体の商品価値を下げることはない。
更に、前記着付用帯体を折り畳んで所要箇所を縫着する構成である為、タンス等に保管されてある従来からの帯にも適用することができるもので、帯の種類、模様等が異なる場合であっても、体裁がよくなるよう模様等を合わせながら着付用帯体を折り畳んで所要箇所を縫着して簡易着付用帯体を構成することができるので、新しく着付用帯体を購入する必要もなく、また、初心者でも容易に着物を着付けすることができるようになることから、着物全般の普及にも繋がる。
【００１７】
更に、請求項３の簡易着付用帯体に係る発明では、請求項１及び請求項２に記載の簡易着付用帯体において、前記胴部の端部に設けられる止着手段は環部を介し可動自在とする紐部とし、前記太鼓部の裏側における前記胴部面上に設けられる止着手段を紐部とし、前記胴部おける下端縁にて縫着したので、前記胴部を着用者の背面に回した後、前記環部を介し可動自在とする前記紐部をどの位置より牽引しても可動し得ることから、着用者の背面に位置する前記胴部の牽引を容易とし、着装をいっそう容易なものとする上に、着用者にしっかりと取り付けられる。
また、前記紐部を着用者の腹部前方へ回しこみ、前記胴部の下方位置に引き出された右腹部側の前記紐部と左腹部側の前記紐部とを、前記胴部の下方位置にて締結させるので、体の硬い着用者や年配の着用者にとっても、手を回しやすくすることができ、着装が容易なものとなる。
【００１８】
更に、請求項４及び請求項７の簡易着付用帯体に係る発明では、請求項３及び請求項６に記載の簡易着付用帯体において、前記太鼓部の裏側における前記仮止部材及び前記紐部の縫着部を覆設するよう、前記太鼓部と同等幅の生地を用いた背面カバーを縫着して設けたので、前記縫着部が覆い隠される為、体裁もよくなる。また、前記背面カバーに、帯の裏生地のような厚手の生地を用いることによって、着装時における背中へのフィット感を向上させることができる。更には、前記胴部を背面へ回す際において、前記胴部と前記背面カバーとの生地同士のすべり易さを向上させることができ、いっそう着装が容易なものとすることができる。
【発明を実施するための最良の形態】
【００１９】
以下、本発明の実施の形態における簡易着付用帯体を図面に基づいて説明する。
図１は、本発明の実施例１に係る着付用帯体における折り畳み箇所を示す説明図である。図２は、本発明の実施例１に係る着付用帯体における三角折曲部を境にして長さ方向に折り畳んだ状態図である。図３は、本発明の実施例１に係る着付用帯体における胴部を形成する際の折り畳み状態図である。図４は、本発明の実施例１に係る着付用帯体における手先部を形成する際の折り畳み状態図である。図５は、本発明の実施例１に係る着付用帯体における（ａ）胴部及び手先部を形成後の折り畳み状態図、（ｂ）太鼓部を形成する際の折り畳み状態斜視図である。図６は、本発明の実施例１に係る着付用帯体における（ｃ）太鼓部を形成する際の折り畳み状態図、（ｄ）太鼓形成部を一度折り返した際の折り畳み状態図である。図７は、本発明の実施例１に係る着付用帯体における太鼓部形成後の表から見た状態斜視図である。図８は、本発明の実施例１に係る着付用帯体における太鼓部形成後の裏から見た状態図である。図９は、本発明の実施例１に係る簡易着付用帯体における仮止部材及び紐部を装着後の太鼓部を表から見た状態斜視図である。図１０は、本発明の実施例１に係る簡易着付用帯体における仮止部材及び紐部を装着後に背面カバーで覆った太鼓部を裏から見た状態図である。図１１は、本発明の実施例１に係る簡易着付用帯体を着用する際の（ａ）仮止部材を止着する前の部分拡大図、（ｂ）仮止部材を止着した後の部分拡大図である。図１２は、本発明の実施例１に係る簡易着付用帯体を着用する際の（ａ）背面における使用状態図、（ｂ）正面における使用状態図である。図１３は、本発明の実施例２に係る簡易着付用帯体における仮止部材及び面ファスナーを装着後の太鼓部を表から見た状態斜視図である。図１４は、本発明の実施例２に係る簡易着付用帯体における仮止部材及び面ファスナーを装着後に背面カバーで覆った太鼓部を裏から見た状態図である。図１５は、本発明の実施例２に係る簡易着付用帯体を着用する際の（ａ）正面における使用状態図、（ｂ）背面における使用状態図である。図１６は、本発明の実施例３に係る簡易着付用帯体における仮止部材及び紐部を装着後の太鼓部を表から見た状態斜視図である。図１７は、本発明の実施例３に係る簡易着付用帯体における仮止部材及び紐部を装着後に背面カバーで覆った太鼓部を裏から見た状態図である。図１８は、本発明の実施例３に係る簡易着付用帯体を着用する際の（ａ）背面における使用状態図、（ｂ）正面における使用状態図である。
【実施例１】
【００２０】
図１に示すように、全長４５０ｃｍ程度からなる着付用帯体１は、太鼓部２を形成する１２０ｃｍ程度（帯模様によって異なる）の帯全巾からなる太鼓形成部２ｂ、後に前記太鼓形成部２ｂに連接するよう直交に折り畳まれる三角折曲部３、及び、後に半巾とされる胴部４と手先部５から構成される。また、前記太鼓形成部２ｂにおける端部はタレ部２ａを形成し、前記手先部５における端部は手先端部５ｂとされる。
帯模様を図面の裏側にして配置される前記着付用帯体１は、前記三角折曲部３の先端部から前記手先部５における前記手先端部５ｂにかけて、矢印（Ａ）に示すように、帯模様が前記着付用帯体１の表側となるよう、裏側同士を合わせ、前記手先端部５ｂにてそれぞれの端片同士を縫い目が目立たないよう絎け縫い部１ａにて縫着し半巾とされる。
このように縫着しておくことによって、前記着付用帯体１は容易に折り畳むこともできるし、それぞれの端片がばらつくこともなく、体裁もよい。
【００２１】
前記手先端部５ｂにおける端片同士が絎け縫い部１ａにて縫着され、半巾とされた前記胴部４及び前記手先部５は、図２に示すようにして、前記着付用帯体１における前記三角折曲部３にて、前記胴部４及び前記手先部５が前記太鼓形成部２ｂの上から重合するように連接して直交に折り畳まれる。また、当該重合箇所においては縫着部１ｂにて縫着することで、前記胴部４、前記手先部５及び前記太鼓形成部２ｂが固着され、それぞれがばらつくこともない。当該重合箇所は、後に前記胴部４及び前記手先部５にて覆設されるので、前記縫着部１ｂは、前記手先端部５ｂのように絎け縫い部１ａとする必要はない。
このとき、前記胴部４及び前記手先部５の帯模様は図面の表側となるよう、一方、前記太鼓形成部２ｂの帯模様は図面の裏側となるように配置される。
【００２２】
次に、図２に示すように折り畳まれた前記着付用帯体１は、図３に示す矢印（Ｂ）に示すように、着用者における胴周りを形成する前記胴部４が折曲部４ａにて、前記太鼓形成部２ｂの下側へ折り畳まれる。前記胴部４は、着用者における胴回りより１０ｃｍ程度長いことが望ましい。着用者におけるウエストサイズの増減にも対応しうるためである。
【００２３】
前記太鼓形成部２ｂの下側へ折り畳まれた前記着付用帯体１は、図４に示すようにして前記太鼓形成部２ｂにおける幅方向の端片と前記手先部５における折曲部５ａを合わせて配置された後、前記太鼓形成部２ｂの幅方向の一端部で、前記折曲部５ａと前記太鼓形成部２ｂにおける三角折曲部３を縫着しておくことで、後に前記手先部５を容易に折り畳むこともできるし、体裁もよいものとなる。
また、前記胴部４における前記折曲部４ａの近傍、並びに、前記胴部４における中央部付近の半斤とされたそれぞれの端片同士を縫い目が目立たないよう、前記手先端部５ｂと同様にして前記絎け縫い部１ａにて縫着することで、それぞれの端片がばらつくこともなく、体裁もよいものとなる。
【００２４】
図５（ａ）に示すように、折り畳まれた前記手先５は、折り返した前記手先端部５ｂ側における前記太鼓形成部２ｂの幅方向の一端部で、縫着部１ｂにて前記胴部４と前記手先部５を縫着することで、両者は固着される。
次に、図５（ｂ）における矢印（Ｃ）に示すようにして、前記胴部４及び前記手先部５を覆い、帯模様が図面の表側になるよう、前記タレ部２ａが下方位置に見えるようにして、前記太鼓形成部２ｂが折り畳まれる。折り畳まれた前記太鼓形成部２ｂは、図６（ｃ）に示すように、帯模様が図面の表側と裏側に位置するように配置され、矢印（Ｄ）に示すように、折曲部２ｃにて前記タレ部２ａの方向へ折り畳まれる。後に、図６（ｄ）における矢印（Ｅ）に示すように、折曲部２ｄにて再び、前記タレ部２ａの方向へ折り畳まれる。
【００２５】
このようにして、図７に示すように、前記折曲部２ｃ及び前記折曲部２ｄで前記タレ部２ａの方向へ内側に折り畳まれ、枕装着部２ｅの空間を設けるようにすることで、前記太鼓部２が形成される。
このとき、前記太鼓形成部２ｂは全巾のままであり、前記着付用帯体１における裏面には帯模様を有していない為、前記太鼓部２の形成は、図７に示すように前記太鼓部２、前記枕装着部２ｅの内側面を形成する太鼓部内側面２ｆ及び前記タレ部２ａの全ての面に、帯模様が位置するように重畳して折り畳まれることが必要となる。その後、前記太鼓部内側面２ｆと前記タレ部２ａは、前記太鼓部内側面２ｆにおける幅方向の端部中央の縫着部１ｃにて縫着される。
【００２６】
また、前記太鼓部２は、図７及び図８に示すように、前記胴部４と前記太鼓部２における前記太鼓部内側面２ｆが重合する四隅、前記太鼓部内側面２ｆの前記タレ部２ａ側における重合した中央部を縫着部１ｄで縫着される。このとき、前記縫着部１ｄは、前記胴部４から前記太鼓部２における前記太鼓部内側面２ｆまでが縫着されるもので、後に説明する枕（図示しない）が前記枕装着部２ｅに装着されるので、前記太鼓部２の全体が縫着されることはない。このようにして、前記胴部４と前記太鼓部内側面２ｆが縫着されることで、前記太鼓部２の形状が維持される。
【００２７】
更に、図９及び図１０に示すように、前記着付用帯体１における前記太鼓部２裏側における前記胴部４の上端縁での幅方向の両端には、伸縮性を有する生地から構成される仮止部材６が、縫着部１ｅで縫着され固着される。前記仮止部材６は、着用者の胴回りに装着されるものであり、従来より着付け時に使用されている伊達締め、バックル付ベルトの先端部等を用いる。図１１（ａ）に示すように、前記仮止部材６における一方の端部６ａには凸部６ｃが２箇所に設けられ、他方の端部６ｂには貫通孔６ｄが２箇所に設けられている。このとき、前記凸部６ｃは相互に逆向きに位置するように設けられている。また、前記端部６ａ及び前記端部６ｂにおける幅方向の中央部には溝部６ｅが設けられている。本実施例１における前記仮止部材６には、バックル付ベルトの先端部を使用した例で説明するが、後の実施例に示すように、一端部に雄面からなる面ファスナー１５を設けた伊達締め等も使用することができる。また、その際には、前記仮止部材６の表面側は止着可能なフェルト等の生地であることが望ましい。また、前記仮止部材６の両端部に面ファスナーを設けることもできる。更に、面ファスナーに限らず、ホック等の他の周知の手段を設けることもできる。
このことは、従来の伊達締め、バックル付ベルト等の主な用途が、着物を着た後に胸元等の着崩れを防止するためであるのに対し、本発明における前記仮止部材６は、着用者に前記簡易着付用帯体１１を容易に仮着させることを目的とするからである。
【００２８】
また、前記太鼓部２裏側における前記胴部４を有さない側の前記胴部４の下端縁には、紐部９が縫着部１ｅで縫着され固着される。前記紐部９は、細い紐、布製の生地のようなものでもよく、帯の生地を傷めないような材質であれば、他のいずれでもよい趣旨である。
更に、前記胴部４における前記折曲部４ａには、略二等辺三角形状からなる環部８の底辺部８ａが前記絎け縫い部１ａ及び前記胴部４における対向する位置の新しい絎け縫い部１ａによって、固着される。また、前記環部８には、前記紐部９と同様にしてなる紐部７が縫着して取り付けられている。
このとき、前記環部８は、帯の生地を傷めないよう樹脂製のものが使用され、前記紐部７は前記環部８に可動自在に取り付けられることが望ましい。また、前記環部８は、帯の生地を傷めないような材質であれば樹脂製に限るものではない。このように、前記紐部７が前記環部８に可動自在に取り付けられるので、前記紐部７はどの方向から牽引しても、前記環部８の頂点部８ｂへ可動し得ることから、着用者の背面に位置する前記胴部４の牽引を容易とし、後に説明する着用時において、着装をいっそう容易なものとする。
【００２９】
また、前記太鼓部２の裏側においては、前記仮止部材６及び前記紐部９を縫着させた後に、これらを覆設させるようにして、前記太鼓部２の幅と同等の帯の裏生地を用いた背面カバー１０を縫着部１ｇにて固着させることもできる。これによって、前記縫着部１ｄ、前記縫着部１ｅが覆い隠される為、体裁もよくなる。また、帯の裏生地のように、厚手の生地を用いることもできる。
このように、前記背面カバー１０に、帯の裏生地のような厚手の生地を用いることによって、着装時における背中へのフィット感を向上させることができる。更には、後に説明するが、前記胴部４を背面へ回す際において、前記胴部４と前記背面カバー１０との生地同士のすべり易さを向上させることができ、いっそう着装が容易なものとすることができる。
また、前記仮止部材６及び前記紐部９は、前記背面カバー１０と同時に前記縫着部１ｇにて縫着してもよい。
【００３０】
更に、図９に示すように、前記手先部５は、前記太鼓部２における前記太鼓部内側面２ｆ内に折り返され、前記胴部４を有する側における前記太鼓部内側面２ｆの間隙から僅かに前記手先端部５ｂを１ｃｍ程度見せるように配置させ、前記太鼓部内側面２ｆにおける端部の中央位置の縫着部１ｆにて縫着されて固着される。このとき、前記手先部５の折返し部分と僅かに見せる前記手先端部５ｂが、前記太鼓部２に対して対称となっていることが、体裁もよく望ましい。当該長さは、前記着付用帯体１の幅、前記着付用帯体１を折り畳む際の前記手先部５の長さに関連するもので、折り畳み時において調整可能なものである。
このようにして、簡易着付用帯体１１は構成される。
【００３１】
このようにして構成される前記簡易着付用帯体１１は、着物１２を着用するときに使用される。
より具体的には、前記着物１２を着用した後、前記太鼓部２を背面の腰部に配置し、腹部前方で図１１（ａ）に示すように、前記仮止部材６における端部６ａ及び端部６ｂを矢印方向へ前記溝部６ｅが交差するように移動させた後、いずれかの前記端部６ａ又は前記端部６ｂを前記溝部６ｅを中心に回動させ、前記端部６ａにおける前記凸部６ｃを前記端部６ｂにおける前記貫通孔６ｄに嵌合させることで、図１１（ｂ）に示すように、前記端部６ａ及び端部６ｂは止着する。これによって、前記簡易着付用帯体１１を着用者に仮着させる。
その後、図１２（ａ）に示すように、前記胴部４を前記仮止部材６が見えないよう覆設しながら、腹部に巻きつけていく。このとき、前記紐部９は、着用者における左腹部側に位置する。この状態で、前記胴部４を着用者の背面の腰部と前記簡易着付用帯体１１の間に挿入させ、背面まで回し込み、右腹部側より前記紐部７を引くことで前記胴部４はしっかりと腹部に巻き付けられる。この際、前記紐部７は前記環部８において、可動自在に取り付けられていることから、着用者における右腹部側のどの位置より牽引しても、前記環部８の頂点部８ｂへ可動し得ることから、着用者の背面に位置する前記胴部４の牽引を容易とし、着装をいっそう容易なものとする。これによって、前記簡易着付用帯体１１は、着用者にしっかりと取り付けられる。更に、前記背面カバー１０によって、前記胴部４との生地同士のすべり易さを向上させることができるので、いっそう着装が容易なものとなる。
【００３２】
後に、図１２（ｂ）に示すように、前記紐部７及び前記紐部９を着用者の腹部前方へ回しこみ、前記胴部４の下方位置に引き出された右腹部側の前記紐部７と左腹部側の前記紐部９とを、前記胴部４の下方位置にて締結させ、結び目を前記胴部４の内側へ挟入させることで、体裁をよくすることができる。このように、前記紐部７及び前記紐部９を前記胴部４の下方位置へ引き出すことによって、体の硬い着用者や年配の着用者にとっても、手を回しやすくすることができ、着装が容易なものとなる。
この後は、従来と同様にして、前記枕装着部２ｅに枕を装着して前記太鼓部２の形態を整え、前記胴部４の上から帯締め等をすることで、着付けは完了する。
また、着用後においては、前記仮止部材６は仮止めに使用されるものであることから、着用者の好みに応じて、止着を外しておくこともできる。また、食後における満腹時においても、前記紐部７及び前記紐部９を緩めて締め直すだけで、ウエストサイズの調節を行うことができる。
【００３３】
また、着装後においては、従来と同様にして帯締め、枕等を取り外した後、前記紐部７、９の結び目及び前記仮止部材６の止着を外すだけで、前記着物１２から前記簡易着付用帯体１１を容易に取り外すことができる。
また、前記簡易着付用帯体１１は、上述の各部箇所が縫着されている為、前記着物１２から前記簡易着付用帯体１１を取り外した後においても、全体の形状は崩れることなく、次回の使用時までそのままの状態で収納又は保管しておくことができる。
【００３４】
以上のように本発明によれば、着用者は、前記簡易着付用帯体１２における前記仮止部材６を腹部に仮着した後に、前記胴部４にて容易且つしっかりと取り付けることができるので、一人でも容易に着付けすることを可能となる。
これによって、着装時においては、前記仮止部材６及び前記胴部４によって、二重に着用者の腹部に止着されていることから、後に取り付ける帯締めが弛むようなことがあっても、前記簡易着付用帯体１２はズレにくくなる。
また、着装後においては、従来と同様にして帯締め、枕等を取り外した後、前記紐部７、９の結び目及び前記仮止部材６の止着を外すだけで、前記着物１２から前記簡易着付用帯体１１を容易に取り外すことができる。
また、前記簡易着付用帯体１１は、各部箇所が縫着されている為、前記着物１２から前記簡易着付用帯体１１を取り外した後においても、全体の形状は崩れることなく、次回の使用時までそのままの状態でタンス等に収納又は保管しておくことができる。
更に、前記着付用帯体１を切断することなく折り畳んで、前記太鼓部２を形成し所要箇所を縫着して、前記簡易着付用帯体１１を形成していることから、縫製箇所の糸をほどくことによって、再び一本の前記着付用帯体１へと戻すことができるので、前記着付用帯体１の商品価値を下げることはない。
更に、前記着付用帯体１を折り畳んで所要箇所を縫着する構成である為、タンス等に保管されてある従来からの帯にも適用することができるもので、帯の種類、模様等が異なる場合であっても、体裁がよくなるよう模様等を合わせながら着付用帯体を折り畳んで所要箇所を縫着して簡易着付用帯体１１を構成することができるので、新しく着付用帯体を購入する必要もなく、また、初心者でも容易に着物を着付けすることができるようになることから、着物全般の普及にも繋がる。
これによって、従来品を着用者に合わせて前記着付用帯体１を折り畳んだ状態に加工する役務を行うことも可能であるし、初めから前記簡易着付用帯体１１を折り畳んだ状態で販売することも可能となる。
また、袋帯、名古屋帯等といった帯の形体、及び全通、六通、太鼓等といった柄の置き方種類に適用することもできる。具体的には、着用者における胴回りに合わせて折り畳んで、前記太鼓部２を形成するだけである。
【実施例２】
【００３５】
また、より着装を簡易化する為に、前記紐部７及び前記紐部９の代わりに、面ファスナーを設け、次のような構成とすることも可能である。以下に、相違する構成箇所及び着付け方法を説明する。
【００３６】
前記紐部７及び前記紐部９を設けない前記実施例１における前記簡易着付用帯体１１において、図１３及び図１４に示すように、前記太鼓部２の裏側における前記背面カバー１０面上には、略中央部に位置するように面ファスナー１４が設置され、前記太鼓部２を有する側における前記胴部４の前記折曲部４ａ近傍に前記面ファスナー１３が設置される。前記背面カバー１０を有しない場合には、前記面ファスナー１４は前記太鼓部２の裏側における前記胴部４の略中央部に位置するように設置される。
図１４に示すように、本実施例では、前記背面カバー１０の内側に位置し、一端部に雄面からなる面ファスナー１５を設けた伊達締めを使用する前記仮止部材６の例を示す。本実施例においても、前記仮止部材６は前記太鼓部２の裏側における前記胴部４の上端縁に縫着され固着される。このとき、前記仮止部材６の表面側は止着可能なフェルト等の生地であることが望ましい。また、前記仮止部材６の両端部に面ファスナーを設けることもできる。その他の構成及び縫着箇所等においては、前記実施例１と同様である。
このようにして、簡易着付用帯体１６は構成される。
【００３７】
このようにして構成される前記簡易着付用帯体１６は、前記実施例１と同様にして、着用されるものであるが、背面の腰部での前記胴部４の固定方法が前記実施例１によるものと相違するものである。
より具体的には、図１５（ａ）に示すように、前記着物１２を着用した後、前記太鼓部２を背面の腰部に配置し、腹部前方で前記面ファスナー１５によって、前記仮止部材６を止着して、前記簡易着付用帯体１６を着用者に仮着させる。その後、前記胴部４を前記仮止部材６が見えないよう覆設しながら、腹部に巻きつけ、前記胴部４を着用者の背面の腰部と前記簡易着付用帯体１６の間に挿入させ、背面まで回し込み、図１５（ｂ）に示すように、前記太鼓部２裏側における前記面ファスナー１４に、前記胴部４における端部の前記面ファスナー１３を止着する。これによって、前記簡易着付用帯体１６は、着用者にしっかりと取り付けられる。
その他の前記手先５、枕及び帯締め等の取り付けにおいては、前記実施例１におけるものと同様である。
また、着装後においては、従来と同様にして帯締め、枕等を取り外した後、前記太鼓部２裏側における前記面ファスナー１４、及び前記仮止部材６における前記面ファスナー１５の止着を外すだけで、前記着物１２から前記簡易着付用帯体１６を容易に取り外すことができる。
【００３８】
以上のように本発明によれば、前記面ファスナー１３及び１４によって、より着装を簡易化することができるとともに、前記実施例１と同様の作用及び効果を奏することができる。
【実施例３】
【００３９】
また、前記面ファスナー１３及び１４を設けることで、前記着付用帯体１の種類によっては帯の生地を傷めてしまうような場合には、次のような構成とすることも可能である。以下に、相違する構成箇所及び着付け方法を説明する。
【００４０】
図１６及び図１７に示すように、前記面ファスナー１３及び１４を設けない前記実施例２における前記簡易着付用帯体１６において、前記太鼓部２を有しない側における前記胴部４の前記折曲部４ａ近傍の上端縁の縫着部１ｈにて、紐部７を縫着させる。
また、前記太鼓部２の裏側における前記胴部４を有しない幅方向の一端片において、前記仮止部材６における上端縁の前記背面カバー１０の内側にて、紐部９と前記太鼓部２を前記縫着部１ｅで縫着させる。このとき、前記縫着部１ｇにて前記背面カバー１０と同時に縫着させることもできる。また、前記実施例１及び前記実施例２と同様に、前記背面カバー１０は有しなくてもよい。
また、前記紐部７及び９は、前記実施例１と同様に細い紐、布製の生地のようなものでもよく、帯の生地を傷めないような材質であれば、他のいずれでもよい趣旨である。
このようにして、簡易着付用帯体１７は構成される。
【００４１】
このようにして構成される前記簡易着付用帯体１７は、前記実施例１及び前記実施例２と同様にして、着用されるものであるが、背面の腰部での前記胴部４の固定方法が前記実施例１及び前記実施例２によるものと相違するものである。
より具体的には、図１８（ａ）に示すように、着用者に、前記仮止部材６にて前記簡易着付用帯体１７を仮着した後、前記胴部４を着用者の背面の腰部と前記簡易着付用帯体１７の間に挿入させ、前記胴部４の端部に前記縫着部１ｈにて縫着された前記紐部７を着用者における右腹部の前記胴部の上方位置より引き出し、前記太鼓部２における幅方向の一端側に縫着された前記紐部９を左腹部の前記胴部の上方位置より引き出す。
その後、図１８（ｂ）に示すように、前記紐部７及び９を着用者の腹部前方へ回しこみ、両者を締結させることで、前記簡易着付用帯体１７は、着用者にしっかりと取り付けられる。前記紐部７及び９の結び目においては、前記胴部４の内側へ狭入させることで、体裁をよくすることができる。
その他の前記手先５、枕及び帯締め等の取り付けにおいては、前記実施例１及び前記実施例２におけるものと同様である。
【００４２】
以上のように本発明によれば、前記面ファスナー１３及び１４によって、帯の生地を傷めてしまうような場合においても、前記実施例１及び前記実施例２と同様の作用及び効果を奏することができ、前記簡易着付用帯体１７を着用者にしっかりと取り付けることができる。
【００４３】
更に、面ファスナー等によって、帯の生地が傷みにくいような場合には、前記実施例２に示すように、前記太鼓部２の裏側における前記胴部４面上、又は前記背面カバー１０面上の略中央部に位置するように面ファスナー１４を設置させ、前記太鼓部２を有する側における前記胴部４の前記折曲部４ａ近傍に前記面ファスナー１３を設置させることもできる。これによって、前記紐部７及び９とともに同時に使用することで、よりしっかりと着用者に取り付けることができるようになる。
【００４４】
また、上記実施例１乃至実施例３においては、着用者が右利きにおける場合の簡易着付用帯体１１、１６及び１７であったが、着用者が左利きにおける場合には、前記着付用帯体１における前記胴部４の位置を前記太鼓部２に対して対称になるようにして、折り畳んだ後、前記太鼓部２を形成すればよいものである。
【図面の簡単な説明】
【００４５】
【図１】本発明の実施例１に係る着付用帯体における折り畳み箇所を示す説明図である。
【図２】本発明の実施例１に係る着付用帯体における三角折曲部を境にして長さ方向に折り畳んだ状態図である。
【図３】本発明の実施例１に係る着付用帯体における胴部を形成する際の折り畳み状態図である。
【図４】本発明の実施例１に係る着付用帯体における手先部を形成する際の折り畳み状態図である。
【図５】本発明の実施例１に係る着付用帯体における（ａ）胴部及び手先部を形成後の折り畳み状態図、（ｂ）太鼓部を形成する際の折り畳み状態斜視図である。
【図６】本発明の実施例１に係る着付用帯体における（ｃ）太鼓部を形成する際の折り畳み状態図、（ｄ）太鼓形成部を一度折り返した際の折り畳み状態図である。
【図７】本発明の実施例１に係る着付用帯体における太鼓部形成後の表から見た状態斜視図である。
【図８】本発明の実施例１に係る着付用帯体における太鼓部形成後の裏から見た状態図である。
【図９】本発明の実施例１に係る簡易着付用帯体における仮止部材及び紐部を装着後の太鼓部を表から見た状態斜視図である。
【図１０】本発明の実施例１に係る簡易着付用帯体における仮止部材及び紐部を装着後に背面カバーで覆った太鼓部を裏から見た状態図である。
【図１１】本発明の実施例１に係る簡易着付用帯体を着用する際の（ａ）仮止部材を止着する前の部分拡大図、（ｂ）仮止部材を止着した後の部分拡大図である。
【図１２】本発明の実施例１に係る簡易着付用帯体を着用する際の（ａ）背面における使用状態図、（ｂ）正面における使用状態図である。
【図１３】本発明の実施例２に係る簡易着付用帯体における仮止部材及び面ファスナーを装着後の太鼓部を表から見た状態斜視図である。
【図１４】本発明の実施例２に係る簡易着付用帯体における仮止部材及び面ファスナーを装着後に背面カバーで覆った太鼓部を裏から見た状態図である。
【図１５】本発明の実施例２に係る簡易着付用帯体を着用する際の（ａ）正面における使用状態図、（ｂ）背面における使用状態図である。
【図１６】本発明の実施例３に係る簡易着付用帯体における仮止部材及び紐部を装着後の太鼓部を表から見た状態斜視図である。
【図１７】本発明の実施例３に係る簡易着付用帯体における仮止部材及び紐部を装着後に背面カバーで覆った太鼓部を裏から見た状態図である。
【図１８】本発明の実施例３に係る簡易着付用帯体を着用する際の（ａ）背面における使用状態図、（ｂ）正面における使用状態図である。
【符号の説明】
【００４６】
１      着付用帯体
１ａ    絎け縫い部
１ｂ、１ｃ、１ｄ、１ｅ、１ｆ、１ｇ、１ｈ  縫着部
２      太鼓部
２ａ    タレ部
２ｂ    太鼓形成部
２ｃ    折曲部
２ｄ    折曲部
２ｅ    枕装着部
２ｆ    太鼓部内側面
３      三角折曲部
４      胴部
４ａ    折曲部
５      手先部
５ａ    折曲部
５ｂ    手先端部
６      仮止部材
６ａ、６ｂ  端部
６ｃ    凸部
６ｄ    貫通孔
６ｅ    溝部
７、９  紐部
８      環部
８ａ    底辺部
８ｂ    頂点部
１０    背面カバー
１１、１６、１７  簡易着付用帯体
１２  紐部
１３、１４，１５  面ファスナー
【図１】
2008280629.tif 000003
【図２】
2008280629.tif 000004
【図３】
2008280629.tif 000005
【図４】
2008280629.tif 000006
【図５】
2008280629.tif 000007
【図６】
2008280629.tif 000008
【図７】
2008280629.tif 000009
【図８】
2008280629.tif 000010
【図９】
2008280629.tif 000011
【図１０】
2008280629.tif 000012
【図１１】
2008280629.tif 000013
【図１２】
2008280629.tif 000014
【図１３】
2008280629.tif 000015
【図１４】
2008280629.tif 000016
【図１５】
2008280629.tif 000017
【図１６】
2008280629.tif 000018
【図１７】
2008280629.tif 000019
【図１８】
2008280629.tif 000020